(57)【要約】【課題】製造コストを安く抑えたパーテーション、パーテーション組み立てキットを提供する。【解決手段】空間を仕切る間仕切り板２と、間仕切り板２を支持する支持部材３、３とからなり、支持部材３、３は、板状部５と、板状部５に所定間隔を空けて配置された２つのＬ字状部４、４と、２つのＬ字状部４、４を板状部５に接着する接着手段６とからなり、支持部材３、３の２つのＬ字状部４、４の間に間仕切り板２が挿入されている。【選択図】図２
0003230294.tif 000002
【実用新案登録請求の範囲】
【請求項１】
空間を仕切る間仕切り板と、前記間仕切り板を支持する支持部材とからなり、
前記支持部材は、板状部と、前記板状部に所定間隔を空けて配置された２つのＬ字状部と、２つの前記Ｌ字状部を前記板状部に接着する接着手段とからなり、
前記支持部材の２つの前記Ｌ字状部の間に前記間仕切り板が挿入されていることを特徴とするパーテーション。
【請求項２】
前記接着手段は両面テープであることを特徴とする請求項１に記載のパーテーション。
【請求項３】
前記間仕切り板と前記支持部材は樹脂製であることを特徴とする請求項１又は請求項２に記載のパーテーション。
【請求項４】
空間を仕切る間仕切り板と、前記間仕切り板を支持する支持部材とからなり、
前記支持部材は、板状部と、前記板状部に所定間隔を空けて配置される２つのＬ字状部と、２つの前記Ｌ字状部を前記板状部に接着するための接着手段とからなり、
前記間仕切り板への前記支持部材の装着は、前記板状部に接着された２つの前記Ｌ字状部の間に前記間仕切り板を挿入することで行われることを特徴とするパーテーション組み立てキット。
【考案の詳細な説明】
【技術分野】
【０００１】
本考案は、パーテーション、パーテーション組み立てキットに関する。
【背景技術】
【０００２】
従来、人の飛沫によるウイルスの感染を防止する等の目的からテーブルやカウンター等に載置して空間を仕切るパーテーションが提案されている。一般にパーテーションは、空間を仕切る間仕切り板と、間仕切り板を立てるための支持部材とからなる（例えば、特許文献１を参照。）。そして支持部材としては、図５に示すように板状部に２つの平行な突条を一体的に形成してなり、２つの突条で間仕切り板を挟持するものが知られている。
【先行技術文献】
【特許文献】
【０００３】
【特許文献１】実用新案登録第３２２７４２９号公報
【考案の概要】
【考案が解決しようとする課題】
【０００４】
しかしながら上述のような従来のパーテーションは、支持部材の形状が複雑であるため、樹脂で成形しようとすると専用の金型が必要となり、製造コストを安く抑えにくいという問題があった。
【０００５】
そこで本考案は上記問題点に鑑みてなされたものであり、製造コストを安く抑えたパーテーション、パーテーション組み立てキットを提供することを目的とする。
【課題を解決するための手段】
【０００６】
上記課題を解決するために本考案は、
空間を仕切る間仕切り板と、前記間仕切り板を支持する支持部材とからなり、
前記支持部材は、板状部と、前記板状部に所定間隔を空けて配置された２つのＬ字状部と、２つの前記Ｌ字状部を前記板状部に接着する接着手段とからなり、
前記支持部材の２つの前記Ｌ字状部の間に前記間仕切り板が挿入されていることを特徴とするパーテーションを提供する。
【０００７】
また本考案は、
空間を仕切る間仕切り板と、前記間仕切り板を支持する支持部材とからなり、
前記支持部材は、板状部と、前記板状部に所定間隔を空けて配置される２つのＬ字状部と、２つの前記Ｌ字状部を前記板状部に接着するための接着手段とからなり、
前記間仕切り板への前記支持部材の装着は、前記板状部に接着された２つの前記Ｌ字状部の間に前記間仕切り板を挿入することで行われることを特徴とするパーテーション組み立てキットを提供する。
【考案の効果】
【０００８】
本考案によれば、製造コストを安く抑えたパーテーション、パーテーション組み立てキットを提供することができる。
【図面の簡単な説明】
【０００９】
【図１】図１（ａ）、図１（ｂ）は本考案の実施形態に係るパーテーションの構成を示す斜視図、正面図である。
【図２】図２（ａ）、図２（ｂ）は本考案の実施形態に係るパーテーションを側方から見た部分拡大図、上方から見た部分拡大図である。
【図３】図３は本考案の実施形態に係るパーテーションにおける支持部材のＬ字状部と板状部を積み重ねた様子を示す図である。
【図４】図４は本考案の実施形態に係るパーテーションの変形例を示す正面図である。
【図５】図５は従来のパーテーションの支持部材の構成を示す図である。
【考案を実施するための形態】
【００１０】
本考案の実施形態に係るパーテーションを添付図面に基づいて説明する。
図１（ａ）及び図１（ｂ）に示すパーテーション１は、テーブルやカウンター等に載置されて空間を仕切る衝立であり、間仕切り板２と、間仕切り板２を立てるための２つの支持部材３、３とからなる。
【００１１】
間仕切り板２は、空間を仕切るものであり、無色透明のアクリル樹脂製で長方形の板状部材からなる。間仕切り板２の角部分には、人が接触した際に怪我をしてしまわないように面取り加工が施されている。
なお、間仕切り板２の材質はアクリル樹脂に限られず、例えばポリ塩化ビニル（ＰＶＣ）樹脂やポリエチレンテレフタレート（ＰＥＴ）樹脂等でもよい。間仕切り板２の形状は長方形に限られず、例えば正方形等でもよい。また、間仕切り板２の色は無色透明に限られず、例えばすりガラス調等でもよい。
【００１２】
支持部材３、３は、間仕切り板２と同様に無色透明のアクリル樹脂製であり、図１（ａ）に示すように間仕切り板２の一辺に所定間隔を空けて装着されることで間仕切り板２を支持するものである。
支持部材３は、図２（ａ）に示すように同形の２つのＬ字状部４、４と、長方形の板状部５とからなる。Ｌ字状部４は、Ｌ字状の板状部材であって、水平部４ａと水平部４ａの端部から垂直に延びた垂直部４ｂとからなる。
【００１３】
２つのＬ字状部４、４は、板状部５の長手方向において、垂直部４ｂ、４ｂ同士が間仕切り板２の厚み分の間隔を空けて向かい合うように板状部５上に配置されている。そして２つのＬ字状部４、４の水平部４ａ、４ａと板状部５とは両面テープ６によって接着されている。
なお、板状部５の大きさは２つのＬ字状部４、４を貼り付けた際にぴったり重なるサイズに設計されている。詳細には、板状部５の上面の面積は、２つのＬ字状部４、４が板状部５に接触する面積と間仕切り板２が板状部５に接触する面積との合計と等しくなっている。
【００１４】
斯かる構成の支持部材３の垂直部４ｂ、４ｂの間に間仕切り板２を挿入することにより、垂直部４ｂ、４ｂによって間仕切り板２が挟持され、支持部材３を間仕切り板２に着脱自在に装着することができる。
なお、Ｌ字状部４、４と板状部５との接着は両面テープ６に限られず、例えば接着剤を用いてもよい。
【００１５】
以上に述べた構成の本実施形態に係るパーテーション１を例えば人が向かい合って座るテーブルに配置することにより、テーブル上の空間を仕切ることができ、人から人へのウイルスの飛沫感染を防止することができる。
【００１６】
本実施形態に係るパーテーション１は、構成が簡単で組み立ても容易であるため、製造コストを安く抑えることができる。そして本実施形態に係るパーテーション１は、支持部材３を構成する２つのＬ字状部４、４、板状部５がいずれも極めて単純な形状をしている。このため、Ｌ字状部４、４、板状部５を製造するにあたり、専用の金型を用意する必要がないため、製造コストを安く抑えることができる。
【００１７】
本実施形態に係るパーテーション１における支持部材３、３は、図３に示すようにＬ字状部４同士、板状部５同士が同じ形状、同じサイズであり、それぞれ積み重ねることができるため、製造時にかさばることがなく、省スペース化を図ることができる。
【００１８】
本実施形態に係るパーテーション１は、上述のように板状部５にＬ字状部４、４を両面テープで貼り付けることで支持部材３を組み立て、支持部材３の垂直部４ｂ、４ｂの間に間仕切り板２を挿入することでパーテーション１を簡単に完成することができる。このため、本実施形態に係るパーテーション１は、間仕切り板２と支持部材３、３（Ｌ字状部４、４、板状部５及び両面テープ６）とを含むパーテーション組み立てキットとして販売することもできる。購入者が自らパーテーション１を組み立てることにより、製造コストをさらに安く抑えることができる。また、前述のようにＬ字状部４同士、板状部５同士は積み重ねることができるため、パーテーション組み立てキットをコンパクトに梱包することができ、配送料金を抑えることもできる。なお、支持部材３の板状部５にはＬ字状部４、４を適切な位置に貼り付けるための目印が設けられていることが望ましい。これにより、よりスムーズに支持部材３を組み立てることができる。
【００１９】
なお、本実施形態に係るパーテーション１において、支持部材３、３はアクリル樹脂製に限られずその他の樹脂や金属製としてもよい。単純な形状のＬ字状部４、４及び板状部５は、金属製にする場合でも加工が容易であるため、製造コストを安く抑えることができる。
【００２０】
本実施形態に係るパーテーション１は、テーブルやカウンター等に載置することに限られず、例えば間仕切り板２や支持部材３、３のサイズを大きくして床等に配置して用いることも可能である。
本実施形態に係るパーテーション１において、支持部材３の数は２つに限られず、間仕切り板２の形や大きさに合わせて適宜増やしてもよい（図４を参照）。また、間仕切り板２のサイズを小さくした場合には支持部材３を１つにしてもよい。
【００２１】
本実施形態に係るパーテーション１において、支持部材３の板状部５の上面の面積は、上述のように２つのＬ字状部４、４が板状部５に接触する面積と間仕切り板２が板状部５に接触する面積との合計に等しくなるように設計されている。しかしながらこれに限られず、板状部５の上面の面積を当該合計よりも大きくすることにより、支持部材３、３で間仕切り板２をより安定して支持することができ、パーテーション１の倒れを効果的に防止することができる。また、板状部５の形状は正方形に限られず、例えば長方形や円形等としてもよい。
【符号の説明】
【００２２】
１      パーテーション
２      間仕切り板
３      支持部材
４      Ｌ字状部
４ａ    水平部
４ｂ    垂直部
５      板状部
６      両面テープ
【図１】
0003230294.tif 000003
【図２】
0003230294.tif 000004
【図３】
0003230294.tif 000005
【図４】
0003230294.tif 000006
【図５】
0003230294.tif 000007